(57)【要約】【課題】  施工時における小口径マンホールの位置決め作業を、より容易かつ確実に行うことができる小口径マンホールを提供する。【解決手段】  上部に立ち上がり管接続口１２を有するマンホール本体１１の側部に、配管接続口１３，１４を備えた小口径マンホールにおいて、前記配管接続口１３，１４の軸線１３Ｌ，１４Ｌがマンホール本体１１の内周面と交わる位置に標示部２０ａ，２０ｂを設ける。施工時に、配管接続口１３，１４の軸線１３Ｌ，１４Ｌに沿うようにレーザー光を照射し、このレーザー光が前記標示部２０ａ，２０ｂに照射されるように小口径マンホールを位置決めすることにより、小口径マンホールの位置決め作業を容易かつ確実に行うことができる。【選択図】  図１
2005240455.tif 000002
【特許請求の範囲】
【請求項１】
上部に立ち上がり管接続口を有するマンホール本体の側部に、複数の配管接続口を備えた小口径マンホールにおいて、前記配管接続口の軸線が前記マンホール本体の内周面と交わる位置に標示部を設けたことを特徴とする小口径マンホール。
【発明の詳細な説明】
【技術分野】
【０００１】
本発明は、小口径マンホールに関し、詳しくは、施工時の位置決めを容易に行えるようにした合成樹脂製の小口径マンホールに関する。
【背景技術】
【０００２】
排水管の合流点や屈曲点、勾配変化点、管径変化点等に設置される合成樹脂製の小口径マンホールは、一般的に、マンホール本体の上部に立ち上がり管接続口を設けるとともに、側部に上流側及び下流側の排水管を接続するための配管接続口をそれぞれ設けた構造を有している。このような小口径マンホールで、屈曲点に設けられるものでは、その小型化を図るとともに、マンホール内での流れの円滑化を図るため、立ち上がり管接続口の中心点と、上流側及び下流側の配管接続口の軸線の交点とがずれた状態となっている。
【０００３】
このため、施工時における小口径マンホールの位置決めを、立ち上がり管接続口の中心点を基準にして行うと、排水管との接続が行えなくなってしまうので、配管接続口の軸線の交点を示す位置決めマークをマンホール本体の上方から視認可能な位置に設けることが行われている（例えば、特許文献１参照。）。
【特許文献１】実用新案登録第２５５４３２２号公報
【発明の開示】
【発明が解決しようとする課題】
【０００４】
しかし、配管接続口の軸線の交点が必ずマンホール本体の内部にあるため、前記位置決めマークは、マンホール本体の底面上に設けられることになる。このため、マンホール本体の底部形状や光線の状態によって位置決めマークが見難くなり、マンホール本体の位置合わせが困難になることがあった。一方、あらかじめ所定位置に設置したマンホール内にレーザー発信機を設置し、このマンホールに接続される管の通りを正確に定めることが行われているが、この場合も、マンホールを所定位置に設置することが前提条件となり、マンホールの位置調整が面倒であることに変わりはない。
【０００５】
そこで本発明は、位置決めマークに相当する表示の視認性を向上させ、施工時における小口径マンホールの位置決め作業を、より容易に行うことができる小口径マンホールを提供することを目的としている。
【課題を解決するための手段】
【０００６】
上記目的を達成するため、本発明の小口径マンホールは、上部に立ち上がり管接続口を有するマンホール本体の側部に、複数の配管接続口を備えた小口径マンホールにおいて、前記配管接続口の軸線が前記マンホール本体の内周面と交わる位置に標示部を設けたことを特徴としている。
【発明の効果】
【０００７】
本発明の小口径マンホールによれば、配管接続口の軸線が前記マンホール本体の内周面と交わる位置に標示部を設けたので、標示部を上方から容易に確認することができる。特に、配管接続口の軸線方向、すなわち、この配管接続口に接続される配管の軸線に沿うようにレーザー発信機からレーザー光を照射し、このレーザー光が前記標示部に照射されるように、立ち上がり管接続口の上方から確認しながら位置決め作業を行うことにより、小口径マンホールの軸合わせを容易かつ確実に行うことができる。
【発明を実施するための最良の形態】
【０００８】
図１乃至図３は、本発明の小口径マンホールの一形態例を示すもので、図１は平面図、図２は図１のII−II断面図、図３は図１のIII−III断面図である。この小口径マンホールは、排水管路の４５度屈曲点に設けられるものであって、マンホール本体（インバート部）１１の上部には、立ち上がり管（掃除口）を接続するための立ち上がり管接続口１２が設けられるとともに、側部には、排水管を接続するための流入側配管接続口１３及び流出側配管接続口１４が設けられている。
【０００９】
立ち上がり管接続口１２、流入側配管接続口１３及び流出側配管接続口１４は、排水管との接続構造が接着による受口形状を有するものであって、流入側配管接続口１３は流出側配管接続口１４より僅かに高位置に設けられている。さらに、本体底部には、流入側配管接続口１３から流出側配管接続口１４に向かう方向に湾曲するとともに、両接続口１３，１４の高低差に対応した水勾配を有する半円形状の流路１５が設けられている。また、立ち上がり管接続口１２は、接続される配管の口径に比べて大きな口径を有しているため、流路１５の上部と立ち上がり管接続口１２の下部との間は、上方が拡がった拡開部１６となっている。
【００１０】
このような小口径マンホールは、図１に示すように、立ち上がり管接続口１２の中心点Ａと、流入側配管接続口１３の軸線１３Ｌ及び流出側配管接続口１４の軸線１４Ｌの交点Ｂとは、前述のようにずれた状態となっている。
【００１１】
そこで、本形態例に示す小口径マンホールでは、流入側配管接続口１３の軸線１３Ｌがマンホール本体１１の内周面と交わる位置に標示部２０ａを設けるとともに、流出側配管接続口１４の軸線１４Ｌがマンホール本体１１の内周面と交わる位置に標示部２０ｂを設けている。この標示部２０ａ，２０ｂは、レーザー光の照射が容易に確認できるような形状や色調にしておくことが好ましい。例えば、赤色レーザー光に対しては淡色、白色レーザー光に対しては濃色の色調としておけばよい。なお、通常の小口径マンホールでは、標示部２０ａ，２０ｂの位置が拡開部１６の下部に位置するため、レーザー光の照射を上方から容易に確認できるが、標示部２０ａ，２０ｂにおけるレーザー光照射面が斜め上方に向くような形状に形成しておくことができる。
【００１２】
このように、配管接続口１３，１４の軸線１３Ｌ，１４Ｌがマンホール本体１１の内周面と交わる位置に標示部２０ａ，２０ｂをそれぞれ設けておくことにより、配管接続口１３，１４の軸線方向、すなわち、この配管接続口１３，１４にそれぞれ接続される配管１７の軸線に沿うようにレーザー発信機１８からレーザー光を照射し、このレーザー光が前記標示部２０ａ，２０ｂに照射されるように、立ち上がり管接続口１４の上方から確認しながら位置決め作業を行うことにより、小口径マンホールの軸合わせを容易かつ確実に行うことができる。
【００１３】
さらに、本形態例では、前記立ち上がり管接続口１２の上面に、流入側配管接続口１３の軸線１３Ｌの鉛直方向位置に流入側配管接続口１３の軸線位置を示す軸線位置表示２１ａと、流出側配管接続口１４の軸線１４Ｌの鉛直方向位置に流出側配管接続口１４の軸線位置を示す軸線位置表示２２ａとを設けるとともに、流入側配管接続口１３の上面には軸線１３Ｌの鉛直方向位置に流れ方向を示す矢印形状の軸線位置表示２１ｂを設け、流出側配管接続口１４の上面には軸線１４Ｌの鉛直方向位置の２箇所に軸線位置表示２２ｂ，２２ｃを設けている。なお、本体底部の交点Ｂに軸線交点表示を設けておく必要はないが、設けておいてもよい。
【００１４】
前記各表示は、小口径マンホールを射出成形する際に、表示設置面に凸状又は凹状に一体成形することもできるが、成形後の所定位置に、別途形成した表示シールを貼り付けたり、印刷又は塗布したりして形成することができ、着色することもできる。また、マンホール本体外面の適当な位置に、この小口径マンホールの径や角度、曲げ方向、高さ等の各種製品情報を記載した製品情報表示部を設けておくこともできる。
【００１５】
このように、配管接続口１３，１４の軸線位置を示す軸線位置表示２１ａ，２１ｂ，２２ａ，２２ｂ，２２ｃを、立ち上がり管接続口１２の上面や配管接続口１３，１４の上面にそれぞれ設けておくことにより、小口径マンホールの位置決め作業をより容易に行うことができ、配管施工時の作業性を大幅に向上させることができる。
【００１６】
また、矢印形状等の流れ方向を示す表示を設けておくことにより、外形が似ている流入側配管接続口１３と流出側配管接続口１４とを確実に判別することができる。また、製品情報表示部を設けておくことにより、小口径マンホールの型式等を簡単に確認することができる。
【００１７】
なお、本発明の対象となる小口径マンホールは、Ｙ字状等に分岐した３個以上の配管接続口を有するものであってもよく、このような小口径マンホールの場合でも、各配管接続口の軸線に対応した標示部をマンホール本体の内周面にそれぞれ設けておけばよい。
【図面の簡単な説明】
【００１８】
【図１】本発明の小口径マンホールの一形態例を示す平面図である。
【図２】図１のII−II断面図である。
【図３】図１のIII−III断面図である。
【符号の説明】
【００１９】
１１…マンホール本体、１２…立ち上がり管接続口、１３…流入側配管接続口、１３Ｌ…軸線、１４…流出側配管接続口、１４Ｌ…軸線、１５…流路、１６…拡開部、１７…配管、１８…レーザー発信機、２０ａ，２０ｂ…標示部、２１ａ，２１ｂ，２１ｃ，２２ａ，２２ｂ，２２ｃ…軸線位置表示、Ａ…立ち上がり管接続口１２の中心点、Ｂ…流入側配管接続口１３の軸線１３Ｌと流出側配管接続口１４の軸線１４Ｌとの交点
【図１】
2005240455.tif 000003
【図２】
2005240455.tif 000004
【図３】
2005240455.tif 000005